(57)【要約】      （修正有）【課題】操作部を紛失しにくく、簡単に視認して操作を可能にするファン付衣服を提供する。【解決手段】送風ファン１０を備えたベスト１であって、送風ファン１０はファン本体と無線通信部と電源部とを一体にして後身頃２のファン取付部４に設け、送風ファン１０を無線通信により操作する操作部４０をリストバンド４２に設けている。操作部４０をリストバンド４２に設けることにより腕時計のように腕に巻き付けて所持することが可能となり、ベスト１の脱ぎ着や周辺物との接触による操作部４０の紛失を防止して、送風ファン１０から独立して簡単に手元に出して視認しながら操作可能とした。【選択図】図１
0003227583.tif 000002
【実用新案登録請求の範囲】
【請求項１】
送風ファンを備えたベストであって、
前記送風ファンはファン本体と無線通信部と電源部とを一体にして後身頃に設け、
前記送風ファンを無線通信により操作する操作部をリストバンドに設けることを特徴とするファン付衣服。
【請求項２】
送風ファンはファン本体を中央部に配置し、電源部を上部及び下部にそれぞれ配置し、無線通信部を前記下部に配置し、
前記上部と前記中央部と前記下部とが前記ファン本体の回転中心を通る一直線上に並ぶことを特徴とする請求項１に記載のファン付衣服。
【請求項３】
リストバンドはシリコン樹脂により形成した一対のバンド部からなり、
一方のバンド部は長手方向に並ぶ複数の貫通口と、長手方向の先端部に他方のバンド部を通す通し穴と、を有し、
前記他方のバンド部は前記貫通口に選択的に押し入れる鋲状係止部を長手方向の先端部に有することを特徴とする請求項１または２に記載のファン付衣服。
【請求項４】
後身頃の左右下部にそれぞれ送風ファンを設け、
前記送風ファン間であって後身頃内面から突出するように縫着した２つの面ファスナーを有することを特徴とする請求項１、２または３のいずれか１項に記載のファン付衣服。
【請求項５】
２つの面ファスナー間に弾性を有する帯状体を掛け渡すことを特徴とする請求項４に記載のファン付衣服。
【考案の詳細な説明】
【技術分野】
【０００１】
本考案は、ファンにより内側に送風可能な衣服に関する考案である。
【背景技術】
【０００２】
従来から特許文献１に示すように服本体に空気導入手段と電源部とを備えて、空気導入手段により服本体内部に空気を導入して、着用者の体温を調節する空調衣服があった。特許文献１には、電源部に無線通信により接続され、空気導入手段の電力を制御するコントロール装置を有し、前身頃に設けたポケットや開口部にコントロール装置をクリップにより装着したことが記載されている。コントローラ装置はクリップに対向する位置に押下式スイッチを設けて、視認しにくい状態でも操作を容易にしている。
【先行技術文献】
【特許文献】
【０００３】
【特許文献１】実用新案登録第３２１７４３５号公報
【考案の概要】
【考案が解決しようとする課題】
【０００４】
特許文献１などに示す空調衣服は視認して操作するものより操作しにくいという問題がある。さらにコントローラ装置をクリップにより装着して保管するから、保管した状態で服本体を脱ぎ着したり服本体が周囲の物に接触するとクリップによる保持が解けて落ちるなどで気付かずに紛失することがあった。また手袋の着用などの作業状態によっては操作やポケットなどからの出し入れが困難になることがあった。
【０００５】
そこで、本考案は操作部を紛失しにくくし、簡単に視認して操作可能に装着できるファン付衣服が求められてきた。
【課題を解決するための手段】
【０００６】
本考案のファン付衣服は送風ファンを備えたベストであって、前記送風ファンはファン本体と無線通信部と電源部とを一体にして後身頃に設け、前記送風ファンを無線通信により操作する操作部をリストバンドに設けることを特徴とする。
【０００７】
また、送風ファンはファン本体を中央部に配置し、電源部を上部及び下部にそれぞれ配置し、無線通信部を前記下部に配置し、前記上部と前記中央部と前記下部とが前記ファン本体の回転中心を通る一直線上に並ぶことが好ましい。
【０００８】
また、リストバンドはシリコン樹脂により形成した一対のバンド部からなり、一方のバンド部は長手方向に並ぶ複数の貫通口を板面に有し、長手方向の先端部に他方のバンド部を通す通し穴を有し、前記他方のバンド部は前記貫通口に選択的に押し入れる鋲状係止部を長手方向の先端部に有することが好ましい。
【０００９】
また、後身頃の左右下部にそれぞれ送風ファンを設け、前記送風ファン間であって後身頃内面から突出するように縫着した２つの面ファスナーを有することが好ましい。
【００１０】
また、２つの面ファスナー間に弾性を有する帯状体を掛け渡すことが好ましい。
【考案の効果】
【００１１】
本考案により、ベストから独立して操作部を装着することにより、ベストを脱ぎ着するなど操作部とベストとを独立して着脱することができて、ベストの脱ぎ着による操作部の紛失を防止することができる。さらに操作部を腕にリストバンドとして装着することにより、周辺物に接触して外れても直接知覚できて、紛失を容易に防止することができる。また腕に装着することから、ベストのポケットなどを探らずに操作部を容易に視認して操作できて、手袋を着けるなどの指や手の自由度が制限された状態であっても高い操作性を保持することができる。
【図面の簡単な説明】
【００１２】
【図１】本考案の実施形態のファン付衣服の正面図である。
【図２】右側のファン取付部の拡大正面図である。
【図３】リストバンドの斜視図である。
【図４】右側のファン取付部の後方分解斜視図である。
【図５】送風ファンの外殻の分解側面図である。
【考案を実施するための形態】
【００１３】
本考案の実施の形態について説明する。本説明において、図１の襟ぐり６側を上方、裾５側を下方、左右前身頃３ａ、３ｂ側を表側（前方）、後身頃２側を裏側（後方）として説明する。
【００１４】
本実施形態にかかるファン付衣服は、図１及び図２に示すように、防風素材からなるベスト１と、ベスト１に固定した２個の送風ファン１０、１０と、送風ファン１０、１０を無線通信により操作する操作部４０とからなる。ファン付衣服は操作部４０をリストバンド４２に設け、リストバンド４２により使用者の腕に巻き付けて操作部４０をベスト１及び送風ファン１０、１０から分離、独立して、保管、所持及び使用可能としている。
【００１５】
リストバンド４２は、図３に示すように、着用者の腕に沿うように湾曲可能な柔軟なシリコン樹脂により細長い板形状に形成した一対のバンド部４３、４４と、両バンド部４３、４４の長手方向の間に設けた操作部４０とからなり、腕時計型としている。バンド部４３、４４の板面における長手方向に直交する向きを幅方向とする。
【００１６】
両バンド部４３、４４は長手方向において等間隔に並ぶ複数の段部４５、４５を裏面（板面）に有している。段部４５は表側に向けて凹む長方形状として幅方向の全長にわたり形成される。
【００１７】
一方のバンド部４３は段部４５、４５それぞれに円形状の貫通口４６を有している。貫通口４６は段部４５の幅方向の中央に位置してバンド部４３を貫通して形成される。一方のバンド部４３は先端に他方のバンド部４４を通す通し穴４７を有し、通し穴４７に他方のバンド部４４を通すことで一方のバンド部４３の先端を他方のバンド部４４に保持可能としている。
【００１８】
他方のバンド部４４は長手方向の先端部に鋲状係止部４８を有している。鋲状係止部４８は図３中に点線で示すように、バンド部４４の裏面に突出した部位４８ａを有している。鋲状係止部４８はこの部位４８ａを貫通口４６に押し付けることにより貫通口４６に係止可能とし、リストバンド４２の装着を容易としている。リストバンド４２は鋲状係止部４８を複数の貫通口４６、４６から選択的に引掛けることにより腕のサイズに応じて調節可能としている。
【００１９】
操作部４０は円柱形状とし、直径がバンド部４３、４４の幅方向の寸法よりも長く、高さがバンド部４３、４４の厚みよりも長い。操作部４０は外周面下側からバンド部４３、４４を延設している。
【００２０】
操作部４０は図示しないが送風ファン１０に無線信号を出力する出力部を内蔵している。操作部４０は操作に応じて出力部から無線信号を送風ファン１０に出力している。操作部４０は円形状の上面４１をバンド部４３、４４と同じ樹脂により形成して、樹脂の柔軟性により押圧可能な操作面としている。上面４１が押圧されることにより出力部から無線信号を出力する。
【００２１】
操作方法の一例として、上面４１が３秒以上長押しされて離される毎に送風ファン１０の起動、停止を切り替えるよう出力部が信号を出力する。３秒未満短く押される毎に送風ファン１０の回転数を切り替えるように信号を出力して、送風ファン１０が起動していると回転数を切り替えて風量の強弱を変更可能としている。なお、長押しとなる時間を３秒以上としているが４秒以上や２秒以上とするものであってもよい。また起動、停止をダブルタップなどの連続押しにより切り替えるものなどであってもよい。起動、停止の操作面と回転数の切り替えの操作面とをそれぞれ備えるものであってもよい。
【００２２】
ベスト１は、図１に示すように、右前身頃３ａと、左前身頃３ｂと、後身頃２とからなり、左右前身頃３ａ、３ｂをファスナー８により開閉自在としている。ベスト１は裾５にゴム紐などの伸縮素材を備えて伸縮自在とし、人体に密着可能とした非通気部としている。襟ぐり６及び袖口７、７に非伸縮素材を付けて補強するとともに人体から容易に離間可能として、ベスト１内側からの排気部としている。
【００２３】
後身頃２は左右下部にそれぞれファン取付部４、４を有し、２か所のファン取付部４、４は左右対称に位置している。ファン取付部４、４は袖口７より下方に形成して、送風ファン１０、１０を全ての排気部（襟ぐり６や袖口７、７）より下方に配置している。送風ファン１０、１０を下方に配置したことにより、ベスト１内側（人体側）に導入した風を下から上に流して排出可能としている。
【００２４】
ファン取付部４は図４に示すように、丸孔９を有した表地（後身頃２）と、後身頃２の後方（外側）に縫着した当布６０と、後身頃２と当布６０との間に縫着した補強板６２とからなる。
【００２５】
当布６０は正方形に形成されて、中央に丸孔９と同形状に形成した連通孔６１を有し、連通孔６１は丸孔９に同軸で連通している。補強板６２は円環形状に形成されて、内周孔６３が丸孔９及び連通孔６１に同軸で連通している。丸孔９、内周孔６３及び連通孔６１は同じ寸法に形成される。ファン取付部４は丸孔９、内周孔６３及び連通孔６１に送風ファン１０を挿通して固定している。
【００２６】
当布６０は外周縁に沿うように縫着部Ｓ１により後身頃２に固定され、当布６０の内周縁（連通孔６１の縁部）を補強板６２の内周縁（内周孔６３の縁部）と後身頃２の丸孔９の縁部とを重ねて内周縁に沿うように縫着部Ｓ２により円環状に補強板６２を介在して後身頃２に固定される。補強板６２は内周縁よりも外側を縫着部Ｓ３により縫着部Ｓ２と同心で大径の円環状に後身頃２及び当布６０に固定される。
【００２７】
送風ファン１０は図２及び図５に示すように、ベスト１内側に吐出口２９を有し、外側に吸入口３８を有し、外気をベスト１内側に吹き入れて温度調整可能としている。送風ファン１０は、ファン取付部４に固定した外殻２０と、プロペラ及び駆動源からなるファン本体１１と、図示しないが複数の二次電池からなる電源部と、図示しないが無線通信部を兼ねた制御部とからなる。
【００２８】
外殻２０は、ファン本体１１、電源部及び制御部を内蔵したフレーム２１と、フレーム２１をファン取付部４に固定する蓋体３３とからなる。フレーム２１は、軸心を前後方向とした円筒状の中央部２３と、中央部２３から上方に突出した箱形状の上部２４と、中央部２３から下方に突出した箱形状の下部２５とからなる。上部２４、中央部２３及び下部２５は上下一列に連続して配置され、ファン本体１１を中央部２３に内蔵し、電源部を上部２４及び下部２５に分割して内蔵し、制御部を下部２５に内蔵している。
【００２９】
中央部２３は円筒の内径を丸孔９の内径と同じ寸法とし、内周空間にファン本体１１を同心に配置して通気路としている。中央部２３は円筒前縁に通気路を覆うようにドーム部２６を設けている。ドーム部２６は前方に向けて半球形状に突出して形成される。送風ファン１０はドーム部２６により人体との間に隙間を生じ易くして吐出口２９の閉塞を防止している。
【００３０】
ドーム部２６は、ファン本体１１を固定した円形状の頂部２６ａと、頂部２６ａから放射状に広がる梁部２６ｂと、同心で径が異なる円環形状として梁部２６ｂを円周方向に接続する複数の枠部２６ｃとからなり、蜘蛛の巣状に網目を有している。ドーム部２６は網目の開口を通気路から外気（風）を吐出する吐出口２９としている。
【００３１】
ドーム部２６は左側方に開口部２７を有し、開口部２７に充電部２８を設けて、充電部２８により外部電源を接続して電源部を充電可能としている。また、中央部２３は円筒内周面に図示しないが雄ねじを有し、円筒後縁から外周にフランジ部２２が突出している。
【００３２】
蓋体３３は、中央部２３の円筒後縁側の開口を覆う網状の円盤部３４と、円盤部３４から外周に突出するフランジ部３５と、円盤部３４の外周縁から前方に突出する円筒部３６とからなる。蓋体３３は円筒部３６の外周面に中央部２３の雄ねじに螺合する雌ねじ３７を有し、この螺合によりフレーム２１に固定可能としている。
【００３３】
円盤部３４はドーム部２６よりも低い高さで後方に向けて突出して形成される。円盤部３４は、円形状の頂部３４ａと、頂部３４ａから放射状に広がる梁部３４ｂと、同心で径が異なる円環形状として梁部３４ｂを円周方向に接続する複数の枠部３４ｃとからなり、蜘蛛の巣状に網目を有している。円盤部３４は網目の開口を通気路に外気を吸入する吸入口３８としている。円筒部３６は外径を丸孔９及び中央部２３の円筒に挿通可能な寸法とし、丸孔９及び中央部２３に同軸で挿通される。
【００３４】
外殻２０は中央部２３の雄ねじに円筒部３６の雌ねじ３７を螺合してフレーム２１に蓋体３３を取り付けている。この取り付けた状態において、蓋体３３のフランジ部３５を当布６０に当接し、中央部２３のフランジ部２２を後身頃２内面に当接して、両フランジ部２２、３５により後身頃２、補強板６２及び当布６０を挟持して送風ファン１０をファン取付部４に支持、固定している。
【００３５】
下部２５は上部２４よりも上下方向の寸法を大きく形成して、吐出口２９からの風を上方に流れ易くしている。電源部は上部２４と下部２５とにそれぞれ同数の二次電池を配置して上下の重量差を抑えている。制御部は下部２５に配置し、操作部４０からの無線信号によりファン本体１１の起動、停止を切り替えたり回転数を変更するよう制御している。
【００３６】
ベスト１は図１に示すように、ファン取付部４の左右方向の間に設けた２つの面ファスナー５０、５０と、２つの面ファスナー５０、５０間に架け渡した帯状体５５とを有している。面ファスナー５０は互いに左右方向に離間して左右対称に配置される。面ファスナー５０は上下方向に長い長方形状に形成され、前面を係止面として着用者側（前方）を向いて後身頃２内面から突出している。面ファスナー５０は、図２に示すように、上半体５１を後身頃２内面に縫着して取り付け、下半体５２を自由端としている。
【００３７】
帯状体５５は左右方向に長く、背面（後面）に被係止面を有し、面ファスナー５０、５０の係止面に着脱自在としている。帯状体５５は弾性を有し、２つの面ファスナー５０、５０間に架け渡すことにより、面ファスナー５０、５０間を弾性的に近付けて、人体に合わせて後身頃２を左右方向に狭めてサイズ調節可能としている。なお面ファスナー５０、５０を互いに係止することにより後身頃２を狭めてもよく、面ファスナー５０、５０をベルトに着けたりしてもよく、送風ファンからの冷気を保持することができる。
【符号の説明】
【００３８】
１…ベスト、２…後身頃、４…ファン取付部、１０…送風ファン、１１…ファン本体、２３…中央部、２４…上部、２５…下部、４０…操作部、４１…上面、４２…リストバンド、４３、４４…バンド部、４６…貫通口、４７…通し穴、４８…鋲状係止部、５０…面ファスナー、５５…帯状体、Ｓ１、Ｓ２、Ｓ３…縫着部。
【図１】
0003227583.tif 000003
【図２】
0003227583.tif 000004
【図３】
0003227583.tif 000005
【図４】
0003227583.tif 000006
【図５】
0003227583.tif 000007